(57)【特許請求の範囲】
【請求項１】
ドナー基地局（ＤｅＮＢ）と、該ＤｅＮＢにアクセスする移動ＲＮとに、同じ専用トラッキングエリアを設定すること、
該移動ＲＮにアクセスする端末（ＵＥ）が登録又はトラッキングエリア更新する時、該ＵＥに該専用トラッキングエリアを含むトラッキングエリア識別子リストを割り当てること、を含み、
前記専用トラッキングエリアは移動中継に専用されるトラッキングエリアコードである移動中継ノード（ＲＮ）トラッキングエリア設定及び位置更新方法。
【請求項２】
前記ＤｅＮＢに専用トラッキングエリアを設定することは、前記ＤｅＮＢが前記ＤｅＮＢのネットワーク管理システムからトラッキングエリア設定パラメータを取得し、該トラッキングエリア設定パラメータが専用トラッキングエリアに対応することを含む請求項１に記載の方法。
【請求項３】
前記移動ＲＮに専用トラッキングエリアを設定することは、前記移動ＲＮが前記移動ＲＮのネットワーク管理システムからトラッキングエリア設定パラメータを取得し、該トラッキングエリア設定パラメータが専用トラッキングエリアに対応することを含む請求項１に記載の方法。
【請求項４】
前記ＵＥに該専用トラッキングエリアを含むトラッキングエリア識別子リストを割り当てることは、
前記ＵＥの移動管理エンティティ（ＭＭＥ）が、前記ＵＥに現在アクセスされるセルのトラッキングエリアが専用トラッキングエリアであると判断した場合、該ＭＭＥがＵＥに割り当てたトラッキングエリア識別子リストには該専用トラッキングエリアを含むことを含む請求項１に記載の方法。
【請求項５】
基地局としての移動ＲＮに専用トラッキングエリアを設定し、前記専用トラッキングエリアが移動中継に専用されるトラッキングエリアコードであること、
該移動ＲＮにアクセスする端末（ＵＥ）が登録又はトラッキングエリア更新する時、該ＵＥに該専用トラッキングエリアを含むトラッキングエリア識別子リストを割り当てること、
移動ＲＮにアクセスされる目標ドナー基地局（ＤｅＮＢ）の各セルに設定されたトラッキングエリアが前記移動ＲＮに設定された専用トラッキングエリアを含まない時、前記目標ＤｅＮＢは移動管理エンティティ（ＭＭＥ）でメンテナンスされる該ＤｅＮＢのトラッキングエリア情報を更新することを含む移動中継ノード（ＲＮ）トラッキングエリア設定及び位置更新方法。
【請求項６】
移動ＲＮの切り替え準備段階において、ソースＤｅＮＢは該移動ＲＮに設定されたトラッキングエリア情報を目標ＤｅＮＢに送信すること、又は、
移動ＲＮはＳ１インターフェース又はＸ２インターフェースを構築する処理中において、該移動ＲＮに設定されたトラッキングエリア情報を目標ＤｅＮＢに送信することをさらに含む請求項５に記載の方法。
【請求項７】
前記移動ＲＮが端末の身分で登録する時、ＭＭＥは、
前記ＭＭＥは移動ＲＮが現在にアクセスするドナー基地局（ＤｅＮＢ）の位置に基づいて該移動ＲＮにトラッキングエリア識別子リストを割り当てる方式、又は、
前記ＭＭＥは移動ＲＮに割り当てられたトラッキングエリア識別子リストには該移動ＲＮが移動の途中に通過したＤｅＮＢの各セルが属する設定されたトラッキングエリアを含む方式の中の一つを採用して該移動ＲＮにトラッキングエリア識別子リストを割り当てることをさらに含む請求項５又は６に記載の方法。
【請求項８】
移動ＲＮが移動の途中に通過し且つアクセスするＤｅＮＢに同じＭＭＥプール又は重なり合ったＭＭＥプールを設定する請求項７に記載の方法。
【請求項９】
前記該ＵＥに該専用トラッキングエリアを含むトラッキングエリア識別子リストを割り当てることは、
ＵＥのＭＭＥが、前記ＵＥに現在アクセスされるセルのトラッキングエリアが専用トラッキングエリアであると判断した場合、該ＭＭＥがＵＥに割り当てたトラッキングエリア識別子リストには該専用トラッキングエリアを含むことを含む請求項５に記載の方法。
【請求項１０】
移動ＲＮに、該移動ＲＮにアクセスされるドナー基地局（ＤｅＮＢ）セルと同じトラッキングエリアを設定すること、
該移動ＲＮにアクセスする端末（ＵＥ）が登録又はトラッキングエリア更新する時、ＵＥの移動管理エンティティ（ＭＭＥ）は該ＵＥに、該移動ＲＮが移動の途中に通過した各ＤｅＮＢセルが属するトラッキングエリアを含むトラッキングエリア識別子リストを割り当てることを含む移動中継ノード（ＲＮ）トラッキングエリア設定及び位置更新方法。
【請求項１１】
移動ＲＮが目標ＤｅＮＢに切り替えた時、該移動ＲＮのトラッキングエリアが目標ＤｅＮＢのトラッキングエリアと一致することを保証するように、移動ＲＮはトラッキングエリア情報を更新することを更に含む請求項１０に記載の方法。
【請求項１２】
第一設定モジュール、第二設定モジュール及び第三設定モジュールを含む移動中継ノード（ＲＮ）トラッキングエリア設定及び位置更新装置であって、
前記第一設定モジュールはドナー基地局（ＤｅＮＢ）に専用トラッキングエリアを設定するように設置され、
前記第二設定モジュールは前記ＤｅＮＢにアクセスする移動ＲＮに前記ＤｅＮＢと同じ専用トラッキングエリアを設定するように設置され、
前記第三設定モジュールは、前記移動ＲＮにアクセスする端末（ＵＥ）が登録又はトラッキングエリア更新する時、該ＵＥに、該専用トラッキングエリアを含むトラッキングエリア識別子リストを割り当てるように設置され、
前記専用トラッキングエリアは移動中継に専用されるトラッキングエリアコードである移動中継ノード（ＲＮ）トラッキングエリア設定及び位置更新装置。
【請求項１３】
前記第一設定モジュールはＤｅＮＢに位置し、
ＤｅＮＢのネットワーク管理システムからトラッキングエリア設定パラメータを取得し、該トラッキングエリア設定パラメータが専用トラッキングエリアに対応するという方式で、ＤｅＮＢに専用トラッキングエリアを設定するように設置される請求項１２に記載の装置。
【請求項１４】
前記第二設定モジュールは移動ＲＮに位置し、
ＲＮのネットワーク管理システムからトラッキングエリア設定パラメータを取得し、該トラッキングエリア設定パラメータが専用トラッキングエリアに対応するという方式で、ＲＮに専用トラッキングエリアを設定するように設置される請求項１２に記載の装置。
【請求項１５】
前記第三設定モジュールはＵＥの移動管理エンティティ（ＭＭＥ）に位置し、
該ＵＥに現在アクセスされるセルのトラッキングエリアが専用トラッキングエリアであると判断した場合、ＵＥに割り当てたトラッキングエリア識別子リストに該専用トラッキングエリアを含むという方式で、ＵＥに、該専用トラッキングエリアを含むトラッキングエリア識別子リストを割り当てるように設置される請求項１２に記載の装置。
【請求項１６】
第四設定モジュール、第五設定モジュール及び更新モジュールを含む移動中継ノード（ＲＮ）トラッキングエリア設定及び位置更新装置であって、
前記第四設定モジュールは、基地局としての移動ＲＮに専用トラッキングエリアを設定し、前記専用トラッキングエリアが移動中継に専用されるトラッキングエリアコードであるように設置され、
前記第五設定モジュールは、前記移動ＲＮにアクセスする端末（ＵＥ）が登録又はトラッキングエリア更新する時、該ＵＥに、該専用トラッキングエリアを含むトラッキングエリア識別子リストを割り当てるように設置され、
前記更新モジュールは、移動ＲＮがアクセスする目標ドナー基地局（ＤｅＮＢ）の各セルに設定されたトラッキングエリアに、前記移動ＲＮに設定されたトラッキングエリアが含まないと判断した場合、前記目標ＤｅＮＢに、移動管理エンティティ（ＭＭＥ）でメンテナンスされる該ＤｅＮＢのトラッキングエリア情報を更新させるように設置される移動中継ノード（ＲＮ）トラッキングエリア設定及び位置更新装置。
【請求項１７】
前記更新モジュールは情報取得ユニット、判断ユニット及び更新ユニットを含み、そのうち、
前記情報取得ユニットは、移動ＲＮの切り替え準備段階において、ソースＤｅＮＢから該移動ＲＮに設定されたトラッキングエリア情報を取得する方式、又は、移動ＲＮがＳ１インターフェース又はＸ２インターフェースを作成する処理中において、移動ＲＮから該移動ＲＮのトラッキングエリア情報を取得するという方式で、該移動ＲＮに設定されたトラッキングエリア情報を取得するように設置され、
前記判断モジュールは、情報取得ユニットが取得した情報に基づいて、移動ＲＮがアクセスする目標ＤｅＮＢの各セルに設定された専用トラッキングエリアが前記移動ＲＮに設定されたトラッキングエリアを含むかを判断するように設置され、
前記更新ユニットは、前記判断モジュールが、移動ＲＮがアクセスする目標ＤｅＮＢの各セルに設定された専用トラッキングエリアに、前記移動ＲＮに設定されたトラッキングエリアが含まないと判断した場合、前記目標ＤｅＮＢにＭＭＥでメンテナンスされる該ＤｅＮＢのトラッキングエリア情報を更新させるように設置される請求項１６に記載の装置。
【請求項１８】
前記装置は、
ＭＭＥに位置し、前記移動ＲＮが端末の身分で登録する時、
移動ＲＮが現在にアクセスするドナー基地局（ＤｅＮＢ）の位置に基づいて該移動ＲＮにトラッキングエリア識別子リストを割り当てる方式、又は、
移動ＲＮに割り当てられたトラッキングエリア識別子リストには該移動ＲＮが移動の途中に通過したＤｅＮＢの各セルが属する設定されたトラッキングエリアを含む方式の中の一つを採用して該移動ＲＮにトラッキングエリア識別子リストを割り当てるように設置される第六設定モジュールをさらに含む請求項１６又は１７に記載の装置。
【請求項１９】
前記装置は、
移動ＲＮが移動の途中に通過し且つアクセスするＤｅＮＢに同じＭＭＥプール又は重なり合ったＭＭＥプールを設定するように設置される第七設定モジュールをさらに含む請求項１８に記載の装置。
【請求項２０】
前記第五設定モジュールはＭＭＥに位置し、
該ＵＥ現在アクセスするセルのトラッキングエリアが専用トラッキングエリアであると判断した場合、ＵＥに割り当てたトラッキングエリア識別子リストに該専用トラッキングエリアを含むという方式で、ＵＥに、該専用トラッキングエリアを含むトラッキングエリア識別子リストを割り当てるように設置される請求項１６に記載の装置。
【請求項２１】
第八設定モジュール及び第九設定モジュールを含む移動中継ノード（ＲＮ）トラッキングエリア設定及び位置更新装置であって、
前記第八設定モジュールは、移動ＲＮに、該移動ＲＮがアクセスするドナー基地局（ＤｅＮＢ）セルと同じトラッキングエリアを設定するように設置され、
前記第九設定モジュールは、前記移動ＲＮにアクセスする端末（ＵＥ）の移動管理エンティティ（ＭＭＥ）に位置し、前記ＵＥが登録又はトラッキングエリア更新する時、該ＵＥに、該移動ＲＮが移動の途中に通過した各ＤｅＮＢが属するトラッキングエリアを含むトラッキングエリア識別子リストを割り当てるように設置される移動中継ノード（ＲＮ）トラッキングエリア設定及び位置更新装置。
【請求項２２】
前記装置は移動ＲＮに位置し、
移動ＲＮが目標ＤｅＮＢに切り替えた時、該移動ＲＮのトラッキングエリアと目標ＤｅＮＢのトラッキングエリアとの一致することを保証するように、移動ＲＮのトラッキングエリア情報を更新するように設置される第十設定モジュールを含む請求項２１に記載の装置。
【発明の詳細な説明】
【技術分野】
【０００１】
本発明は無線通信技術分野に関し、具体的には移動中継ノードトラッキングエリア設定及び位置更新方法並びに装置に関する。
【背景技術】
【０００２】
次第に増加している広帯域幅高速移動アクセスのニーズを満たすために、第三世代パートナーシッププロジェクト（Ｔｈｉｒｄ  Ｇｅｎｅｒａｔｉｏｎ  Ｐａｒｔｎｅｒｓｈｉｐ  Ｐｒｏｊｅｃｔｓ、  ３ＧＰＰと略称する）はロングタームエボリューションアドバンス（Ｌｏｎｇ−Ｔｅｒｍ  Ｅｖｏｌｕｔｉｏｎ  ａｄｖａｎｃｅｄ、  ＬＴＥ−Ａｄｖａｎｃｅｄと略称する）標準を出した。ＬＴＥ−Ａｄｖａｎｃｅｄはロングタームエボリューション（Ｌｏｎｇ−Ｔｅｒｍ  Ｅｖｏｌｕｔｉｏｎ、  ＬＴＥと略称する）のエボリューションに対してＬＴＥの核心を保留し、これを基礎として一連の技術を採用して周波数領域、空間領域を拡大することにより、スペクトル利用率を向上させ、システム容量を増加させる等の目的を達成する。
【０００３】
無線中継（Ｗｉｒｅｌｅｓｓ  Ｒｅｌａｙ）技術はＬＴＥ−Ａｄｖａｎｃｅｄにおける技術の一つであり、その目的はセルのカバレッジを拡張し、通信中の死角領域を減少し、負荷をバランスさせ、ホットスポット領域のサービスを移しユーザ機器（Ｕｓｅｒ  Ｅｑｕｉｐｍｅｎｔ、  ＵＥと略称する）の送信電力を節約することである。中継ノード（Ｒｅｌａｙ  Ｎｏｄｅ、  ＲＮと略称する）はそのセルにアクセスするＵＥに、一般的なｅＮＢと類似する機能及びサービスを提供し、さらに無線インターフェースを介して、一般的なＵＥと類似する方式によって、自装置にサービスを提供するｅＮＢにアクセスする。ＲＮにサービスを提供するｅＮＢはＤｏｎｏｒ  ｅＮＢ（ドナー基地局）と称し、ＤｅＮＢと略称する。ＤｅＮＢは移動管理エンティティ（Ｍｏｂｉｌｉｔｙ  Ｍａｎａｇｅｍｅｎｔ  Ｅｎｔｉｔｙ、ＭＭＥと略称する）に接続される。ＭＭＥがＵＥに提供する機能は、ユーザアクセス制御、認証、データ暗号化、ベアラサービス制御、ページング、切り替え制御等の制御シグナリングの処理を含む。複数のＭＭＥはともに一つの共通の地理的領域を対象にサービスを提供し、該地理的領域内に少なくともｅＮＢ及びＤｅＮＢのいずれか（以下ｅＮＢ／ＤｅＮＢと略称する）は網状構造で該領域内の複数のＭＭＥに接続される。該共通の地理的領域内におけるＭＭＥ集合は一つのＭＭＥプールを構成し、該領域はＭＭＥプール領域とも称し、複数のトラッキングエリア（Ｔｒａｃｋｉｎｇ  Ａｒｅａ、ＴＡと略称する）に対応し、ＵＥはこれらのトラッキングエリア内に移動する時、サービスの提供元のＭＭＥを交換する必要がない。
【０００４】
高速鉄道の大規模な建設及び投入に伴い、列車で通信するニーズが増加している。現在、高速鉄道の実用速度は３５０キロメートル／時間に達し、ドップラーシフト、セルの頻繁な切り替え、高速鉄道車両への電波の侵入損失が大きいこと等の影響により、現在のネットワーク基地局のカバーでは高速鉄道の通信品質に対する要求を満たすことが困難である。従って、業界では高速鉄道に中継ノードを配備することを提案し、図１に示すように、高速鉄道の列車内のユーザ機器、例えばＵＥ１及びＵＥ２を、相対的に静止しているＲＮと直接通信させ、ＲＮは高速鉄道が移動する過程で、異なるＤｅＮＢへ通信先を切り替えることができる。従って、高速鉄道の車両内の多くのユーザ機器による通信先の同時切り替えを避け、ＵＥとＲＮとの間の通信品質を保証できる。また、移動ＲＮとＤｅＮＢとの間のバックボーン接続を強化することにより、高速鉄道に存在している上記問題を確実に解決することができる。ところが、移動ＲＮの導入は従来のＬＴＥ−Ａｄｖａｎｃｅｄ中のＲＮの関連規格に大きな影響をもたらす。
【０００５】
例えば、ＲＮセルに対して、ＯＡＭ（Ｏｐｅｒａｔｉｏｎ  ａｎｄ  Ｍａｉｎｔｅｎａｎｃｅ、運用保守）エンティティは通常、一つの該セルが属するＴＡの領域情報（トラッキングエリア情報）を設定し、ＲＮセルはシステム情報ＳＩＢ１（Ｓｙｓｔｅｍ  Ｉｎｆｏｒｍａｔｉｏｎ  Ｂｌｏｃｋ  Ｔｙｐｅ１）中においてＴＡＣ（Ｔｒａｃｋｉｎｇ  Ａｒｅａ  Ｃｏｄｅ、トラッキングエリアコード）形式で該セルが属するＴＡを報告する。一方、ＵＥは起動した後、まずネットワークに登録してからサービスを受けることができ、登録処理中に、ＵＥが接続されるＭＭＥはＵＥにトラッキングエリア識別子リスト（ＴＡＩ  ｌｉｓｔ）を割り当てる。トラッキングエリア識別子はＰＬＭＮ（Ｐｕｂｌｉｃ  Ｌａｎｄ  Ｍｏｂｉｌｅ  Ｎｅｔｗｏｒｋ、公衆地上移動体通信網）識別子及びＴＡＣを含む。ＵＥは一つのＲＮセルを選択又は再選し、ＲＮが報告したシステム情報ＳＩＢ１に基づいて、ＲＮセルが属するＴＡはＵＥが登録したＴＡＩリストに存在しないことを発見すると、ＵＥはトラッキングエリア更新（Ｔｒａｃｋｉｎｇ  Ａｒｅａ  Ｕｐｄａｔｅ、ＴＡＵと略称する）処理を実行してＭＭＥに現在所在する位置を知らせ、これに応じて登録されたＴＡＩリストを更新する必要がある。該ＵＥに対応する下りリンクデータが到達する時、ＵＥのＭＭＥはＵＥのＴＡＩリストに基づいて、該リストが含むＴＡをカバーするすべてのｅＮＢ／ＤｅＮＢにページングメッセージを送信することができる。ｅＮＢ／ＤｅＮＢはページングメッセージを受信した後、逐次、各セル（ＲＮセルを含む）が属するＴＡについて、ＴＡＩリスト中に含まれるＴＡＩ情報と一致するか判断し、一致していると、対応するセル上において、無線インターフェースを介してページングメッセージを送信することによりＵＥをページングする。一旦無線インターフェースを介してそのようなページングメッセージを受信すると、ＵＥはサービス要求処理を実行し、接続状態に移行する。該処理が完了した後、Ｓ−ＧＷはＵＥが現在接続しているｅＮＢ及びＵＥにデータを送信する。
【発明の概要】
【発明が解決しようとする課題】
【０００６】
ＲＮが移動する過程中に、ＲＮのＴＡＣをどのように設定するか、及び現在ＲＮが接続しているＤｅＮＢとの一致性をどのように保持するかについて、再考する必要がある。設定が不適当であると、移動中継のトラッキングエリア更新及びページングに関連して新たな問題をもたらす。例えばＲＮが移動する過程中に、ＲＮの目標ＤｅＮＢのＴＡＣが変化すると、ＲＮのＴＡＣは変化し、ＲＮによりサービスを提供されるＵＥはＲＮが移動する過程中、絶えずＲＮのＴＡとＵＥが登録したＴＡＩリストとの不一致を検出する。従って多くのＵＥは同時にＴＡＵを実行し、シグナリング輻輳をもたらす。一方、ＲＮのＴＡＣが、ＲＮの移動過程の全過程を通じて変化せず、ＤｅＮＢがＲＮのＴＡを含まないシーン下では、ＵＥにサービスを提供するＭＭＥは新たにＲＮの属するＴＡでＤｅＮＢがサービスを提供することを知らず、ページングメッセージをＤｅＮＢに送信しない可能性があり、従ってＵＥをページングすることができない。
【課題を解決するための手段】
【０００７】
本発明の実施例は移動中継ノードトラッキングエリア設定及び位置更新方法並びに装置を提供し、ＲＮによりサービスを提供された多くのＵＥがＲＮの移動過程中において同時に位置更新をトリガーしなくて済む。
【０００８】
本発明の実施例は移動中継（ＲＮ）トラッキングエリア設定及び位置更新方法を提供し、
ドナー基地局（ＤｅＮＢ）と、該ＤｅＮＢにアクセスする移動ＲＮとに、同じ専用トラッキングエリアを設定すること、
該移動ＲＮにアクセスする端末（ＵＥ）が登録又はトラッキングエリア更新する時、該ＵＥに該専用トラッキングエリアを含むトラッキングエリア識別子リストを割り当てることを含み、
前記専用トラッキングエリアは移動中継に専用されるトラッキングエリアコードである。
【０００９】
本発明の実施例は移動中継ノード（ＲＮ）トラッキングエリア設定及び位置更新方法を更に提供し、
基地局としての移動ＲＮに専用トラッキングエリアを設定し、前記専用トラッキングエリアが移動中継に専用されるトラッキングエリアコードであること、
該移動ＲＮにアクセスする端末（ＵＥ）が登録又はトラッキングエリア更新する時、該ＵＥに該専用トラッキングエリアを含むトラッキングエリア識別子リストを割り当てること、
移動ＲＮがアクセスする目標ドナー基地局（ＤｅＮＢ）の各セルに設定されたトラッキングエリアは前記移動ＲＮに設定された専用トラッキングエリアを含まない時、前記目標ＤｅＮＢは移動管理エンティティ（ＭＭＥ）でメンテナンスされる該ＤｅＮＢのトラッキングエリア情報を更新することを含む。
【００１０】
本発明の実施例は移動中継ノード（ＲＮ）トラッキングエリア設定及び位置更新方法を更に提供し、
移動ＲＮに該移動ＲＮがアクセスするドナー基地局（ＤｅＮＢ）セルと同じトラッキングエリアを設定すること、
該移動ＲＮにアクセスする端末（ＵＥ）が登録又はトラッキングエリア更新する時、ＵＥの移動管理エンティティ（ＭＭＥ）は該ＵＥに該移動ＲＮが移動の途中に通過した各ＤｅＮＢセルが属するトラッキングエリアのトラッキングエリア識別子リストを割り当てることを含む。
【００１１】
本発明の実施例は移動中継ノード（ＲＮ）トラッキングエリア設定及び位置更新装置を更に提供し、第一設定モジュール、第二設定モジュール及び第三設定モジュールを含み、そのうち、
前記第一設定モジュールはドナー基地局（ＤｅＮＢ）に専用トラッキングエリアを設定するように設置され、
前記第二設定モジュールは前記ＤｅＮＢにアクセスする移動ＲＮに前記ＤｅＮＢと同じ専用トラッキングエリアを設定するように設置され、
前記第三設定モジュールは、前記移動ＲＮにアクセスする端末（ＵＥ）が登録又はトラッキングエリア更新する時、該ＵＥに該専用トラッキングエリアを含むトラッキングエリア識別子リストを割り当てるように設置され、
前記専用トラッキングエリアは移動中継に専用されるトラッキングエリアコードである。
【００１２】
本発明の実施例は移動中継ノード（ＲＮ）トラッキングエリア設定及び位置更新装置を更に提供し、第四設定モジュール、第五設定モジュール及び更新モジュールを含み、そのうち、
前記第四設定モジュールは、基地局としての移動ＲＮに専用トラッキングエリアを設定し、前記専用トラッキングエリアが移動中継に専用されるトラッキングエリアコードであるように設置され、
前記第五設定モジュールは、前記移動ＲＮにアクセスする端末（ＵＥ）が登録又はトラッキングエリア更新する時、該ＵＥに該専用トラッキングエリアを含むトラッキングエリア識別子リストを割り当てるように設置され、
前記更新モジュールは、移動ＲＮがアクセスする目標ドナー基地局（ＤｅＮＢ）の各セルに設定されたトラッキングエリアが前記移動ＲＮに設定されたトラッキングエリアを含まないと判断した場合、前記目標ＤｅＮＢに移動管理エンティティ（ＭＭＥ）でメンテナンスされる該ＤｅＮＢのトラッキングエリア情報を更新させるように設置される。
【００１３】
本発明の実施例は移動中継ノード（ＲＮ）トラッキングエリア設定及び位置更新装置を更に提供し、第八設定モジュール及び第九設定モジュールを含み、そのうち、
前記第八設定モジュールは、移動ＲＮに該移動ＲＮがアクセスするドナー基地局（ＤｅＮＢ）セルと同じトラッキングエリアを設定するように設置され、
前記第九設定モジュールは、前記移動ＲＮにアクセスする端末（ＵＥ）の移動管理エンティティ（ＭＭＥ）に位置し、前記ＵＥが登録又はトラッキングエリア更新する時、該ＵＥに該移動ＲＮが移動の途中に通過した各ＤｅＮＢが属するトラッキングエリアを含むトラッキングエリア識別子リストを割り当てるように設置される。
【発明の効果】
【００１４】
本発明の実施例の方法及び装置はできるだけＵＥに割り当てられたページングエリアリストが該ＵＥにサービスを提供する移動中継ノード（ＲＮ）に設定されたトラッキングエリアを含むことを保証し、ＲＮによりサービスを提供された多くのＵＥがＲＮの移動過程中において同時に位置更新をトリガーしなくて済む。また、ＲＮが通信先のＤｅＮＢを切り替える時、必要に応じてＭＭＥでメンテナンスされる各ＲＮ又はＤｅＮＢのトラッキングエリア情報を更新し、従って、無線インターフェースを介するネットワークのトラッキングエリア情報の一致を保証し、正確なページング通信路を保証する。
【図面の簡単な説明】
【００１５】
【図１】移動中継ノードが異なるＤｅＮＢへ通信先を切り替える模式図である。
【図２】本発明の実施例１のフローチャートである。
【図３】本発明の実施例１の装置構造の模式図である。
【図４】本発明の実施例２のフローチャートである。
【図５】本発明の実施例２の装置構造の模式図である。
【図６】本発明の実施例２の更新モジュール構造の模式図である。
【図７】本発明の実施例３のフローチャートである。
【図８】本発明の実施例３の装置構造の模式図である。
【図９】本発明の応用例１のフローチャートである。
【図１０】本発明の応用例２のフローチャートである。
【図１１】本発明の応用例３のフローチャートである。
【図１２】本発明の応用例４のフローチャートである。
【図１３】本発明の応用例５のフローチャートである。
【発明を実施するための形態】
【００１６】
以下、図面を参照しながら本発明の実施例を詳しく説明する。ただし、特段の技術的制約がない限り、本出願における実施例及び実施例における特徴は互いに任意に組み合せることができる。
【００１７】
実施例１
本実施例の移動中継ノードトラッキングエリア設定及び位置更新方法は図２に示すように、以下のステップを含む。
【００１８】
ステップ１０１：ＤｅＮＢに専用トラッキングエリアを設定する。該専用トラッキングエリアは移動中継ノード（以下、「移動ＲＮ」と称する）のトラッキングエリアコードに専用される。
【００１９】
好ましくは、該ＤｅＮＢはＤｅＮＢのネットワーク管理システムからトラッキングエリア設定パラメータを取得することができる。該トラッキングエリア設定パラメータは専用トラッキングエリアに対応する。
【００２０】
ステップ１０２：該ＤｅＮＢにアクセスする移動ＲＮに専用トラッキングエリアを設定する。
【００２１】
好ましくは、該移動ＲＮは移動ＲＮのネットワーク管理システムからトラッキングエリア設定パラメータを取得することができる。該トラッキングエリア設定パラメータは専用トラッキングエリアに対応する。
【００２２】
ステップ１０３：該移動ＲＮにアクセスするＵＥが登録又はトラッキングエリア更新する時、該ＵＥに該専用トラッキングエリアを含むトラッキングエリア識別子リストを割り当てる。
【００２３】
好ましくは、ＵＥのＭＭＥは、該ＵＥが現在アクセスしているセルのトラッキングエリアが専用トラッキングエリアであると判断した場合、該ＭＭＥがＵＥに割り当てたトラッキングエリア識別子リストに、該専用トラッキングエリアを含める。
【００２４】
本実施例において、ＤｅＮＢ、移動ＲＮ及びＵＥはいずれも同じ専用トラッキングエリアを含むトラッキングエリア識別子リストが設定されており、従って、移動ＲＮが移動する時、移動ＲＮ及びＵＥはいずれも位置更新しない。
【００２５】
上記方法を実現する装置は図３に示すように、第一設定モジュール、第二設定モジュール及び第三設定モジュールを含み、
該第一設定モジュールは、ＤｅＮＢに専用トラッキングエリアを設定するように設置され、
該第二設定モジュールは、該ＤｅＮＢにアクセスする移動ＲＮに専用トラッキングエリアを設定するように設置され、
該第三設定モジュールは、該移動ＲＮにアクセスするＵＥが登録又はトラッキングエリア更新する時、該ＵＥに該専用トラッキングエリアを含むトラッキングエリア識別子リストを割り当てるように設置される。
【００２６】
好ましくは、該第一設定モジュールは、ＤｅＮＢに位置し、ＤｅＮＢのネットワーク管理システムからトラッキングエリア設定パラメータを取得して、ＤｅＮＢに専用トラッキングエリアを設定するように設置される。該トラッキングエリア設定パラメータは、上述のように、専用トラッキングエリアに対応する。
【００２７】
好ましくは、該第二設定モジュールは、移動ＲＮに位置し、移動ＲＮのネットワーク管理システムからトラッキングエリア設定パラメータを取得して、移動ＲＮに専用トラッキングエリアを設定するように設置される。該トラッキングエリア設定パラメータは、上述のように、専用トラッキングエリアに対応する。
【００２８】
好ましくは、該第三設定モジュールは、ＵＥが接続するＭＭＥに位置し、該ＵＥが現在アクセスするセルのトラッキングエリアが専用トラッキングエリアであると判断した場合、ＵＥに該専用トラッキングエリアを含むトラッキングエリア識別子リストを割り当てるように設置される。該ＵＥに割り当てたトラッキングエリア識別子リストには、該専用トラッキングエリアが含まれる。
【００２９】
実施例２
本実施例は別の移動中継ノードトラッキングエリア設定及び位置更新方法を提供し、図４に示すように、以下のステップを含む。
【００３０】
ステップ２０１：基地局としての移動ＲＮに専用トラッキングエリアを設定する。該専用トラッキングエリアは移動ＲＮのトラッキングエリアコードに専用される。
【００３１】
好ましくは、該移動ＲＮが端末の身分で登録する時、ＭＭＥは、移動ＲＮが現在アクセスするＤｅＮＢの位置に基づいて該移動ＲＮにトラッキングエリア識別子リストを割り当てる。或いは、ＭＭＥは、移動ＲＮに割り当てられたトラッキングエリア識別子リストに、該移動ＲＮが移動の途中に通過したＤｅＮＢの各セルが属するトラッキングエリアを含めてもよい。ＭＭＥは、いずれか一つの方式を採用して該移動ＲＮにトラッキングエリア識別子リストを割り当てることができる。該移動ＲＮが移動の途中に通過し且つアクセスするＤｅＮＢに同じＭＭＥプール又は重なり合ったＭＭＥプールを設定する。
【００３２】
ステップ２０２：該移動ＲＮにアクセスするＵＥが登録又はトラッキングエリア更新する時、該ＵＥに該専用トラッキングエリアを含むトラッキングエリア識別子リストを割り当てる。
【００３３】
具体的には、該ＵＥのＭＭＥは、該ＵＥが現在アクセスするセルのトラッキングエリアが専用トラッキングエリアであると判断した場合、該ＭＭＥがＵＥに割り当てたトラッキングエリア識別子リストに、該専用トラッキングエリアを含める。
【００３４】
ステップ２０３：移動ＲＮがアクセスする目標ＤｅＮＢの各セルに設定されたトラッキングエリアに、該移動ＲＮに設定された専用トラッキングエリアが含まれていない時、該目標ＤｅＮＢはＭＭＥでメンテナンスされる該ＤｅＮＢのトラッキングエリア情報を更新する。
【００３５】
具体的には、目標ＤｅＮＢは移動ＲＮに設定されたトラッキングエリア情報を取得し、その後、該情報に基づいて、各セルのトラッキングエリアが該移動ＲＮに設定された専用トラッキングエリア情報を含むか判断する。好ましくは、該目標ＤｅＮＢは、移動ＲＮの切り替え準備段階において、ソースＤｅＮＢが該移動ＲＮに設定されたトラッキングエリア情報を目標ＤｅＮＢに送信する方式、又は、移動ＲＮがＳ１インターフェース又はＸ２インターフェースを作成する処理中において、該移動ＲＮに設定されたトラッキングエリア情報を目標ＤｅＮＢに送信する方式の一つを採用して、該移動ＲＮに設定されたトラッキングエリア情報を取得することができる。
【００３６】
上記移動ＲＮに設定されたトラッキングエリア情報は、ＯＡＭによって移動ＲＮに設定されたトラッキングエリア情報である。
【００３７】
本実施例において、移動ＲＮとＵＥに同じ専用トラッキングエリアを含むトラッキングエリア識別子リストが設定され、従って移動ＲＮが移動する時、ＵＥは位置更新しない。
【００３８】
上記方法を実現する装置は、図５に示すように、第四設定モジュール、第五設定モジュール及び更新モジュールを含み、
該第四設定モジュールは、基地局としての移動ＲＮに専用トラッキングエリアを設定するように設置され、
該第五設定モジュールは、該移動ＲＮにアクセスするＵＥが登録又はトラッキングエリア更新する時、該ＵＥに該専用トラッキングエリアを含むトラッキングエリア識別子リストを割り当てるように設置され、
該更新モジュールは、移動ＲＮがアクセスする目標ＤｅＮＢの各セルに設定されたトラッキングエリアに、該移動ＲＮに設定された専用トラッキングエリアが含まれていないと判断した場合、ＭＭＥでメンテナンスされる該ＤｅＮＢのトラッキングエリア情報を該目標ＤｅＮＢに更新させるように設定される。
【００３９】
好ましくは、図６に示すように、該更新モジュールは、情報取得ユニット、判断ユニット及び更新ユニットを含み、
該情報取得ユニットは、移動ＲＮの切り替え準備段階において、ソースＤｅＮＢから該移動ＲＮに設定されたトラッキングエリア情報を取得する方式、又は、移動ＲＮがＳ１インターフェース又はＸ２インターフェースを作成する処理中において、移動ＲＮから該移動ＲＮのトラッキングエリア情報を取得するという方式で、該移動ＲＮに設定されたトラッキングエリア情報を取得するように設置され、
該判断モジュールは、情報取得ユニットが取得した情報に基づいて、移動ＲＮがアクセスする目標ＤｅＮＢの各セルに設定されたトラッキングエリアが、前記移動ＲＮに設定された専用トラッキングエリアを含むか判断するように設置され、
該更新ユニットは、該判断モジュールによって、移動ＲＮがアクセスする目標ＤｅＮＢの各セルに設定された専用トラッキングエリアが、該移動ＲＮに設定されたトラッキングエリアを含まないと判断された場合に、ＭＭＥでメンテナンスされる該ＤｅＮＢのトラッキングエリア情報を該目標ＤｅＮＢに更新させるように設置される。
【００４０】
好ましくは、上記装置は、ＭＭＥに位置し、該移動ＲＮが端末の身分で登録する時、移動ＲＮが現在アクセスするＤｅＮＢの位置に基づいて該移動ＲＮにトラッキングエリア識別子リストを割り当てる方式、又は、移動ＲＮに割り当てられたトラッキングエリア識別子リストに、該移動ＲＮが移動の途中に通過したＤｅＮＢの各セルが属するトラッキングエリアを含める方式の一つを採用して、該移動ＲＮにトラッキングエリア識別子リストを割り当てるように設置される第六設定モジュールを更に含む。
【００４１】
好ましくは、上記装置は移動ＲＮが移動の途中に通過し且つアクセスするＤｅＮＢに同じＭＭＥプール又は重なり合ったＭＭＥプールを設定するように設置される第七設定モジュールを更に含む。
【００４２】
好ましくは、該第五設定モジュールは、ＭＭＥに位置し、該ＵＥが現在アクセスするセルのトラッキングエリアが専用トラッキングエリアであると判断した場合、該ＵＥに割り当てたトラッキングエリア識別子リストに該専用トラッキングエリアを含めるという方式で、ＵＥに該専用トラッキングエリアを含むトラッキングエリア識別子リストを割り当てる。
【００４３】
実施例３
本実施例は別の移動中継ノードトラッキングエリア設定及び位置更新方法を提供し、図７に示すように、以下のステップを含む。
【００４４】
ステップ３０１：移動ＲＮに該移動ＲＮがアクセスするＤｅＮＢセルと同じトラッキングエリアを設定する。
【００４５】
ステップ３０２：該移動ＲＮにアクセスするＵＥが登録又はトラッキングエリア更新する時、ＵＥのＭＭＥは、該移動ＲＮが移動の途中に通過した各ＤｅＮＢが属するトラッキングエリアを含むトラッキングエリア識別子リストを、該ＵＥに割り当てる。
【００４６】
好ましくは、上記方法は、移動ＲＮが目標ＤｅＮＢに通信先を切り替えた時、該移動ＲＮのトラッキングエリアが目標ＤｅＮＢのトラッキングエリアと一致することを保証するように、移動ＲＮはトラッキングエリア情報を更新することを更に含む。
【００４７】
本実施例において、移動ＲＮとＤｅＮＢセルが同じトラッキングエリアを有するように配置され、且つ、ＵＥに設定されたトラッキングエリア識別子リストに、該移動ＲＮが移動の途中に通過した各ＤｅＮＢセルが属するトラッキングエリアを含めるため、従って、移動ＲＮが移動する時、ＵＥは位置更新しない。
【００４８】
上記方法を実現する装置は、図８に示すように、第八設定モジュール及び第九設定モジュールを含み、
該第八設定モジュールは、移動ＲＮに該移動ＲＮがアクセスするＤｅＮＢセルと同じトラッキングエリアを設定するように設置され、
該第九設定モジュールは、該移動ＲＮにアクセスするＵＥのＭＭＥに位置し、該ＵＥが登録又はトラッキングエリア更新する時、該移動ＲＮが移動の途中に通過した各ＤｅＮＢが属するトラッキングエリアを含むトラッキングエリア識別子リストを該ＵＥに割り当てるように設置される。
【００４９】
好ましくは、該装置は、移動ＲＮに位置し、移動ＲＮが目標ＤｅＮＢに通信先を切り替えた時、該移動ＲＮのトラッキングエリアが目標ＤｅＮＢのトラッキングエリアと一致することを保証するように、移動ＲＮのトラッキングエリア情報を更新するように設置される第十設定モジュールをさらに含む。
【００５０】
以下、応用例で上記実施例を説明する。
【００５１】
応用例１
本例示は上記実施例１の方法に対応する応用例であり、本例示は移動ＲＮが移動の途中に通過したすべてのＤｅＮＢの各セルに設定されたＴＡと、移動ＲＮの各セルに設定されたＴＡが同じであることに焦点を当てる。図９に示すように、以下のステップを含む。
【００５２】
ステップ４０１：ＤｅＮＢのネットワーク管理システムＯＡＭは、移動ＲＮにサービスを提供することに専用されるＤｅＮＢに、専用トラッキングエリアを設定する。
【００５３】
ここで、該移動ＲＮは、移動ＲＮのネットワーク管理システムからトラッキングエリア設定パラメータを取得し、取得されたトラッキングエリア設定パラメータは専用トラッキングエリアに対応する。
【００５４】
ステップ４０２：移動ＲＮがＤｅＮＢにアクセスして登録する時、該移動ＲＮのＭＭＥは、専用トラッキングエリアを含むトラッキングエリア識別子リストを該移動ＲＮに割り当てる。
【００５５】
本実施例は、移動ＲＮが移動の途中に通過したすべてのＤｅＮＢの各セルに設定されたＴＡと、該移動ＲＮの各セルに設定されたＴＡとが同じであると仮定する。この時、移動ＲＮがトラッキングエリア識別子リストを取得すると、位置更新を再び発起する必要がない。他の実施例においては、本ステップを実行しなくてもよいが、移動ＲＮが他のＤｅＮＢに通信先を切り替えた時、位置更新をする必要がある。
【００５６】
ステップ４０３：移動ＲＮは、登録が完了した後、移動ＲＮのネットワーク管理システムＯＡＭからトラッキングエリア設定パラメータを取得し、該トラッキングエリア設定パラメータは専用トラッキングエリアに対応する。
【００５７】
ステップ４０４：移動ＲＮが正常に稼動し且つＵＥにアクセスして、該ＵＥがネットワーク登録又はトラッキングエリア更新を行う時において、ＵＥのＭＭＥは、該ＵＥが現在アクセスするセルのトラッキングエリア情報を判断する。該トラッキングエリアが専用トラッキングエリアであると、ＵＥのＭＭＥは、該専用トラッキングエリアを含むトラッキングエリア識別子リストを該ＵＥに割り当てる。
【００５８】
ＵＥのＭＭＥと、移動ＲＮのＭＭＥは、物理的に同一のＭＭＥである可能性があるが、理論上では２つ（別々）のＭＭＥである。
【００５９】
上記ステップ４０１〜４０４により、移動ＲＮであってもＵＥであっても、移動ＲＮが移動する過程においていずれも位置更新を行う必要がなく、且つページング情報は移動ＲＮにルーティングしてＵＥに通知することができる。
【００６０】
応用例２
本例示は上記実施例２の方法に対応する応用例であり、本例示中において移動ＲＮに専用トラッキングエリアを設定し、且つ移動ＲＮによりサービスを提供されるＵＥに割り当てられるトラッキングエリア識別子リストに専用トラッキングエリアを含める。従って、ＵＥは移動ＲＮの移動過程中に位置更新しなくて済む。ところが、本実施例は、移動ＲＮの移動の途中に通過したＤｅＮＢの各セルに設定されたＴＡと、移動ＲＮの各セルに設定されたＴＡが同じではない時、すなわち、移動ＲＮが移動過程中に位置更新する必要がある可能性があるシーンに焦点を当てる。この時、通信先のＤｅＮＢの切り替え準備段階において、移動ＲＮに設定されたトラッキングエリアをインタラクティブすることができ、次いで、目標ＤｅＮＢは、接続されたＭＭＥに、該ＤｅＮＢセルのトラッキングエリア情報の更新を前もって発起し、従ってページングメッセージの正確なルーティングを保証する。図１０に示すように、以下のステップを含む。
【００６１】
ステップ５０１：移動ＲＮがアクセスして登録する時、移動ＲＮのＭＭＥは、移動ＲＮが現在アクセスするＤｅＮＢセルの位置に基づいて、該移動ＲＮにＴＡＩリストを割り当てる。
【００６２】
ステップ５０２：移動ＲＮの登録が完了した後、移動ＲＮのＯＡＭから設定パラメータを取得し、該移動ＲＮの各セルに専用トラッキングエリアを設定する。
【００６３】
ステップ５０３：該移動ＲＮによりサービスを提供されるＵＥが登録又はトラッキングエリア更新する時、ＵＥのＭＭＥは、それに専用トラッキングエリアを含むトラッキングエリア識別子リストを割り当てる。
【００６４】
ここで、ＵＥのＭＭＥは、初期ＵＥメッセージ（Ｉｎｉｔｉａｌ  ＵＥ  ｍｅｓｓａｇｅ）から取得されたＴＡＩ情報に基づいて、現在ＵＥがアクセスするセルのトラッキングエリア情報を判断し、移動ＲＮの専用トラッキングエリアに対応する場合には、ＵＥに割り当てられたトラッキングエリア識別子リスト中に該専用トラッキングエリアを含める。このように、ＵＥは移動ＲＮが移動する過程においてトラッキングエリア更新を行う必要がない。
【００６５】
ステップ５０４：移動ＲＮは、移動過程中にソースＤｅＮＢから目標ＤｅＮＢへの切り替えを行う時、移動ＲＮの切り替え準備段階において、ソースＤｅＮＢが目標ＤｅＮＢに送信できる切り替え要求メッセージ中に移動ＲＮが基地局として設定されたトラッキングエリア情報を携帯する。
【００６６】
ステップ５０５：目標ＤｅＮＢの各セルに設定されたトラッキングエリアに、移動ＲＮのあるセルに設定された専用トラッキングエリアが含まれていない場合には、ＤｅＮＢはｅＮＢ  Ｃｏｎｆｉｇｕｒａｔｉｏｎ  Ｕｐｄａｔｅ（設定更新）メッセージ等のＳ１シグナリングをＤｅＮＢに関連するＭＭＥプール領域内のすべてのＭＭＥに送信し、ＭＭＥが記録した目標ＤｅＮＢに設定されたトラッキングエリア情報を更新する必要がある。類似的に、移動ＲＮが切り替えを完了した後、ソースＤｅＮＢの各セルに設定されたトラッキングエリアに、移動ＲＮのあるセルに設定された専用トラッキングエリアが含まれていない場合には、ソースＤｅＮＢはｅＮＢ  Ｃｏｎｆｉｇｕｒａｔｉｏｎ  Ｕｐｄａｔｅ（設定更新）メッセージ等のＳ１シグナリングをＤｅＮＢに関連するＭＭＥプール領域内のすべてのＭＭＥに送信し、ＭＭＥが記録したソースＤｅＮＢに設定されたトラッキングエリア情報を更新する必要がある。従ってソースＤｅＮＢが不必要なページングメッセージを受信しなくて済む。
【００６７】
本ステップは現在、移動ＲＮとＭＭＥが中継アーキテクチャ２を採用しているシーンに適し、該シーンでは、移動ＲＮが移動の途中に通過し且つアクセスするＤｅＮＢに同じＭＭＥプール又は重なり合ったＭＭＥプールを設定する必要がある。従って、移動ＲＮによってサービスを提供されるＵＥに、ＤｅＮＢにより割り当てられたＭＭＥは、移動ＲＮの移動過程中に変える必要がなく、従って、移動ＲＮによりサービスを提供されるＵＥがトラッキングエリアを更新する必要がないことを更に保証する。
【００６８】
移動ＲＮとＭＭＥが中継アーキテクチャ１を採用する時、即ち、移動ＲＮとＭＭＥが直接に接続する時、ＤｅＮＢによりＭＭＥでメンテナンスされるトラッキングエリア情報を更新する必要がない。
【００６９】
ここで、目標ＤｅＮＢとＳ１及びＸ２インターフェースを構築する時、目標ＤｅＮＢは移動ＲＮの各セルに設定されたＴＡＣ情報を取得し、目標ＤｅＮＢの各セルのＴＡに移動ＲＮのあるセル中のＴＡが含まれていない場合には、ＤｅＮＢはｅＮＢ  Ｃｏｎｆｉｇｕｒａｔｉｏｎ  ＵｐｄａｔｅメッセージをＤｅＮＢに関連するＭＭＥプール領域内のすべてのＭＭＥに送信し、ＭＭＥが記録した目標ＤｅＮＢに設定されたＴＡ情報を更新する必要がある。
【００７０】
この方式により、その後、移動ＲＮによりサービスを提供されるＵＥのページングメッセージをページングすれば、ＤｅＮＢ及び移動ＲＮにルーティングできる。切り替え準備段階において、ＤｅＮＢの間には移動ＲＮセルに設定されたトラッキングエリア情報をインタラクティブすることにより、即ち移動ＲＮの切り替え準備段階において、ソースＤｅＮＢが目標ＤｅＮＢに送信した切り替え要求メッセージ中に移動ＲＮが基地局として設定されたトラッキングエリア情報を携帯することにより、従って目標ＤｅＮＢが早めてＭＭＥに設定更新を送信することができるようになり、ＭＭＥが目標ＤｅＮＢに設定されたＴＡＩ情報を更新することを加速し、ページングをよりタイムリー且つ有効にする。
【００７１】
ステップ５０６：移動ＲＮが移動の途中に切り替えて達する目標ＤｅＮＢセルのトラッキングエリアがＲＮのトラッキングエリア識別子リスト中に存在しない場合には、移動ＲＮは切り替えを完了した後、トラッキングエリア更新処理を実行し、トラッキングエリア識別子リストを更新する。
【００７２】
応用例３
本例示は上記実施例２の方法に対応する応用例であり、本例示中において移動ＲＮに専用トラッキングエリアを設定し、且つ移動ＲＮによりサービスを提供されるＵＥに割り当てられるトラッキングエリア識別子リストには専用トラッキングエリアが含まれる。従ってＵＥは移動ＲＮの移動過程中に位置更新しなくて済む。ところが、本実施例は移動ＲＮの移動の途中に通過したＤｅＮＢの各セルに設定されたＴＡと移動ＲＮの各セルに設定されたＴＡが同じではない時、移動ＲＮが移動過程中に位置更新する必要がある可能性があることに焦点を当てる。この時、移動ＲＮが切り替えを完了した後、目標ＤｅＮＢとの間にＳ１又はＸ２接続を構築する時、移動ＲＮに設定されたトラッキングエリアをインタラクティブし、次いで、目標ＤｅＮＢは接続するＭＭＥに該ＤｅＮＢセルのトラッキングエリア情報を更新することを発起し、従ってページングメッセージの正確なルーティングを保証する。図１１に示すように、以下のステップを含む。
【００７３】
ステップ６０１：移動ＲＮがアクセスして登録する時、移動ＲＮのＭＭＥは移動ＲＮの位置に基づいて移動ＲＮにＴＡＩリストを割り当てる。
【００７４】
ステップ６０２：移動ＲＮが登録を完了した後、移動ＲＮのＯＡＭから専用トラッキングエリア設定パラメータを取得し、該移動ＲＮの各セルに専用トラッキングエリアを設定する。
【００７５】
ステップ６０３：移動ＲＮによりサービスを提供されるＵＥが登録又はトラッキングエリア更新する時、ＵＥのＭＭＥはそれに専用トラッキングエリアを含むトラッキングエリア識別子リストを割り当てる。
【００７６】
ここで、ＵＥのＭＭＥはＩｎｉｔｉａｌ  ＵＥ  ｍｅｓｓａｇｅから取得されたＴＡＩ情報に基づいて、現在ＵＥがアクセスするセルトラッキングエリア情報を判断することができ、移動ＲＮ専用トラッキングエリアに対応する場合には、ＵＥに割り当てられたトラッキングエリア識別子リスト中に該専用トラッキングエリアを含める。このように、ＵＥは移動ＲＮが移動する過程においてトラッキングエリア更新を行う必要がない。
【００７７】
ステップ６０４：移動ＲＮは移動過程中にソースＤｅＮＢから目標ＤｅＮＢへの切り替えを行う。
【００７８】
ステップ６０５：移動ＲＮがソースＤｅＮＢから目標ＤｅＮＢに切り替えた後、目標ＤｅＮＢとＳ１及びＸ２インターフェースを構築する時、目標ＤｅＮＢは移動ＲＮの各セルに設定されたトラッキングエリア情報を取得する。
【００７９】
ステップ６０６：目標ＤｅＮＢの各セルに設定されたトラッキングエリアに、移動ＲＮのあるセルに設定された専用トラッキングエリアが含まれていない場合には、ＤｅＮＢはｅＮＢ  Ｃｏｎｆｉｇｕｒａｔｉｏｎ  ＵｐｄａｔｅメッセージをＤｅＮＢに関連するＭＭＥプール領域内のすべてのＭＭＥに送信し、ＭＭＥが記録した目標ＤｅＮＢに設定されたＴＡ情報を更新する。
【００８０】
この方式により、その後、移動ＲＮによりサービスを提供されるＵＥのページングメッセージをページングすれば、ＤｅＮＢ及び移動ＲＮにルーティングできる。
【００８１】
類似的に、移動ＲＮが切り替えを完了した後、ソースＤｅＮＢの各セルに設定されたトラッキングエリアに、移動ＲＮのあるセルに設定された専用トラッキングエリアが含まれていない場合には、ソースＤｅＮＢはｅＮＢ  Ｃｏｎｆｉｇｕｒａｔｉｏｎ  Ｕｐｄａｔｅ（設定更新）メッセージ等のＳ１シグナリングをＤｅＮＢに関連するＭＭＥプール領域内のすべてのＭＭＥに送信し、ＭＭＥが記録したソースＤｅＮＢに設定されたトラッキングエリア情報を更新する必要がある。従ってソースＤｅＮＢが不必要なページングメッセージを受信しなくて済む。
【００８２】
本ステップは現在、移動ＲＮとＭＭＥが中継アーキテクチャ２を採用しているシーンに適し、該シーンでは、移動ＲＮが移動の途中に通過し且つアクセスするＤｅＮＢに同じＭＭＥプール又は重なり合ったＭＭＥプールを設定する必要がある。従って、移動ＲＮによりサービスを提供されるＵＥに、ＤｅＮＢにより割り当てられたＭＭＥは、移動ＲＮの移動過程中に変える必要がなく、従って移動ＲＮによりサービスを提供されるＵＥがトラッキングエリアを更新する必要がないことを更に保証する。
【００８３】
移動ＲＮとＭＭＥが中継アーキテクチャ１を採用する時、即ち、移動ＲＮとＭＭＥが直接接続する時、ＤｅＮＢによりＭＭＥでメンテナンスされるトラッキングエリア情報を更新する必要がない。
【００８４】
ステップ６０７、移動ＲＮが移動の途中に切り替えた目標ＤｅＮＢセルのトラッキングエリアが移動ＲＮのトラッキングエリア識別子リスト中に存在しない場合には、移動ＲＮは切り替えを完了した後トラッキングエリア更新処理を実行し、トラッキングエリア識別子リストを更新する。
【００８５】
応用例４
本例示は上記実施例２の方法に対応する応用例であり、本例示と前の示例との区別は、移動ＲＮのＭＭＥが、移動ＲＮの移動の途中に通過したＤｅＮＢの各セルが属するトラッキングエリアを含むトラッキングエリア識別子リストを、該移動ＲＮに割り当てることにあり、従ってＵＥは移動過程中にトラッキングエリアを更新しなくて済む。図１２に示すように、以下のステップを含む。
【００８６】
ステップ７０１：移動ＲＮがアクセスして登録する時、移動ＲＮのＭＭＥはアクセス要求メッセージの中継タイプを判断し、移動中継である場合には、移動ＲＮが移動の途中に通過したＤｅＮＢの各セルが属するトラッキングエリアを含むトラッキングエリア識別子リストを、該移動ＲＮに割り当てる。
【００８７】
移動ＲＮの移動軌跡が固定的である時、移動の途中に通過したＤｅＮＢの各セルが属するトラッキングエリアを予め取得することができ、これにより該移動ＲＮにトラッキングエリア識別子リストを割り当てる。
【００８８】
ステップ７０２：移動ＲＮが登録を完了した後、移動ＲＮのＯＡＭから専用トラッキングエリア設定パラメータを取得し、該移動ＲＮの各セルに専用トラッキングエリアを設定する。
【００８９】
ステップ７０３：移動ＲＮによりサービスを提供されるＵＥが登録又はトラッキングエリア更新する時、ＵＥのＭＭＥはそれに専用トラッキングエリアを含むトラッキングエリア識別子リストを割り当てる。
【００９０】
ここで、ＵＥのＭＭＥはＩｎｉｔｉａｌ  ＵＥ  ｍｅｓｓａｇｅから取得されたＴＡＩ情報から現在ＵＥがアクセスするセルトラッキングエリア情報を判断することができ、移動ＲＮ専用トラッキングエリアに対応する場合には、ＵＥに割り当てられたトラッキングエリア識別子リスト中に該専用トラッキングエリアを含める。このように、ＵＥは移動ＲＮが移動する過程においてトラッキングエリア更新を行う必要がない。
【００９１】
ステップ７０４：移動ＲＮは移動過程中にソースＤｅＮＢから目標ＤｅＮＢへの切り替えを行う。
【００９２】
ステップ７０５：移動ＲＮがソースＤｅＮＢから目標ＤｅＮＢに切り替えた後、目標ＤｅＮＢとＳ１及びＸ２インターフェースを構築する時、目標ＤｅＮＢは移動ＲＮの各セルに設定されたトラッキングエリア情報を取得する。
【００９３】
ステップ７０６：目標ＤｅＮＢの各セルに設定されたトラッキングエリアに、移動ＲＮのあるセルに設定された専用トラッキングエリアが含まれていない場合には、ＤｅＮＢはｅＮＢ  Ｃｏｎｆｉｇｕｒａｔｉｏｎ  ＵｐｄａｔｅメッセージをＤｅＮＢに関連するＭＭＥプール領域内のすべてのＭＭＥに送信し、ＭＭＥが記録した目標ＤｅＮＢに設定されたＴＡ情報を更新する。
【００９４】
この方式により、その後、移動ＲＮによりサービスを提供されるＵＥのページングメッセージをページングすれば、ＤｅＮＢ及び移動ＲＮにルーティングできる。その他に、応用例２における切り替え準備段階に、ＤｅＮＢの間は移動ＲＮに設定されたトラッキングエリアをインタラクティブする方式を採用してもよく、それによってＭＭＥが目標ＤｅＮＢトラッキングエリアを更新する処理を加速する。
【００９５】
類似的に、移動ＲＮが切り替えを完了した後、ソースＤｅＮＢの各セルに設定されたトラッキングエリアに移動ＲＮのあるセルに設定された専用トラッキングエリアが含まれていない場合には、ソースＤｅＮＢはｅＮＢ  Ｃｏｎｆｉｇｕｒａｔｉｏｎ  Ｕｐｄａｔｅ（設定更新）メッセージ等のＳ１シグナリングをＤｅＮＢに関連するＭＭＥプール領域内のすべてのＭＭＥに送信し、ＭＭＥが記録したソースＤｅＮＢに設定されたトラッキングエリア情報を更新する必要がある。従ってソースＤｅＮＢが不必要なページングメッセージを受信しなくて済む。
【００９６】
本ステップは現在、移動ＲＮとＭＭＥが中継アーキテクチャ２を採用しているシーンに適し、該シーンでは、移動ＲＮが移動の途中に通過し且つアクセスするＤｅＮＢに同じＭＭＥプール又は重なり合ったＭＭＥプールを設定する必要がある。従って、ＤｅＮＢが移動ＲＮによりサービスを提供されるＵＥに割り当てられたＭＭＥは移動ＲＮの移動過程中に変える必要がなく、従って移動ＲＮによりサービスを提供されるＵＥがトラッキングエリアを更新する必要がないことを更に保証する。
【００９７】
移動ＲＮとＭＭＥが中継アーキテクチャ１を採用する時、即ち、移動ＲＮとＭＭＥが直接接続する時、ＤｅＮＢによりＭＭＥでメンテナンスされるトラッキングエリア情報を更新する必要がない。
【００９８】
応用例５
本例示は上記実施例３の方法に対応する応用例であり、移動ＲＮに設定されたトラッキングエリアと移動ＲＮがアクセスするＤｅＮＢが属するトラッキングエリアとの一致性を保持し、且つ移動ＲＮによりサービスを提供されるＵＥに割り当てられたトラッキングエリア識別子リスト中には移動の途中に通過したＤｅＮＢが属するトラッキングエリア情報が含まれる。従ってＵＥは移動ＲＮの移動過程中に位置更新しなくて済む。そのほか、ＤｅＮＢがＭＭＥに対してＤｅＮＢのトラッキングエリア設定情報を更新させる必要もない。しかし、上記シーンでは、移動ＲＮが移動過程中に位置更新する必要がある可能性がある。図１３に示すように、以下のステップを含む。
【００９９】
ステップ８０１：移動ＲＮがアクセスして登録する時、移動ＲＮのＭＭＥは移動ＲＮの位置に基づいて移動ＲＮにトラッキングエリア識別子リストを割り当てる。
【０１００】
ステップ８０２：移動ＲＮが登録を完了した後、アクセスするＤｅＮＢに設置されたトラッキングエリア情報に基づいて移動ＲＮの各セルに専用のトラッキングエリアを設定する。
【０１０１】
ステップ８０３：移動ＲＮによりサービスを提供されるＵＥが登録又はトラッキングエリア更新する時、ＵＥのＭＭＥはＩｎｉｔｉａｌ  ＵＥ  ＭｅｓｓａｇｅにおけるＥＣＧＩにより該ＵＥが移動ＲＮにアクセスしたかどうかを判定し、アクセスした場合には、移動ＲＮが移動の途中に通過したＤｅＮＢの各セルが属するトラッキングエリアを含むトラッキングエリア識別子リストを割り当てる。本ステップにより、ＵＥは移動ＲＮが移動する過程においてトラッキングエリア更新を行う必要がない。
【０１０２】
ステップ８０４：移動ＲＮは移動過程中にソースＤｅＮＢから目標ＤｅＮＢへの切り替えを行う。
【０１０３】
ステップ８０５：移動ＲＮが移動の途中に切り替えた目標ＤｅＮＢセルのトラッキングエリアが移動ＲＮのトラッキングエリア識別子リスト中に存在しない場合には、移動ＲＮは切り替え完了した後トラッキングエリア更新処理を実行し、トラッキングエリア識別子リストを更新する。
【０１０４】
当業者は、上記方法における全部又は一部のステップをプログラムによって関連ハードウェアに命令を出して実現することができ、前記プログラムはコンピュータ読み取り可能な記憶媒体、例えば読取り専用メモリ、ディスク又は光ディスク等に記憶してもよいと理解することができる。選択肢として、上記実施例の全部又は一部のステップが一つ又は複数の集積回路により実現されてもよい。相応的に、上記実施例における各モジュール／ユニットはハードウェアの形式で実現されてもよく、ソフトウェア機能モジュールの形式で実現されてもよい。本発明は如何なる特定形式のハードウェアとソフトウェアの組合せに限らない。
【０１０５】
もちろん、本発明はさらに他の多種の実施例を有してもよく、本発明の趣旨とその実質を逸脱しない場合に、本分野に詳しい当業者は本発明に基づいて各種の相応の変更と変形を行うことができるが、これらの相応の変更と変形はいずれも本発明に添付される請求の範囲の保護範囲に属する。
【産業上の利用可能性】
【０１０６】
本発明の実施例の方法及び装置はできるだけＵＥに割り当てられたページングエリアリストが該ＵＥをサービスする移動中継に設定されたトラッキングエリアを含むことを保証し、移動ＲＮによりサービスを提供された多くのＵＥが移動ＲＮの移動過程中において同時に位置更新をトリガーしなくて済む。また、移動ＲＮが通信先を切り替える時、必要に応じてＭＭＥでメンテナンスされる各移動ＲＮ又はＤｅＮＢセルのトラッキングエリア情報を更新し、従って、無線インターフェースネットワークのトラッキングエリア情報の一致を保証し、正確なページング通信路を保証する。
【図１】
0005872711.tif 000002
【図２】
0005872711.tif 000003
【図３】
0005872711.tif 000004
【図４】
0005872711.tif 000005
【図５】
0005872711.tif 000006
【図６】
0005872711.tif 000007
【図７】
0005872711.tif 000008
【図８】
0005872711.tif 000009
【図９】
0005872711.tif 000010
【図１０】
0005872711.tif 000011
【図１１】
0005872711.tif 000012
【図１２】
0005872711.tif 000013
【図１３】
0005872711.tif 000014